(57)【要約】【課題】  モバイル用途に好適な、ＴＰＯに合わせた柔軟な使い方ができる表示装置を提供する。【解決手段】  折り曲げ可能な柔軟性を持つ表示デバイスを用い、該表示デバイスの折り曲げ位置を検知して表示内容を制御する。特に、表示画像のサイズないしは表示位置を変更する。あるいは、表示テキストの改行位置ないしは行間を変更する。【選択図】  図１
2006243621.tif 000002
【特許請求の範囲】
【請求項１】
折り曲げ可能な柔軟性を持つ表示デバイスと、
該表示デバイスの折り曲げ位置を検知する検知手段と、
前記検知手段の出力に基づき前記表示デバイスの表示内容を制御する制御手段とを備える表示装置。
【請求項２】
前記表示デバイスに補強部材を取り付け、該表示デバイスの柔軟性に強弱を付加したことを特徴とする請求項１に記載の表示装置。
【請求項３】
前記検知手段の出力に基づき、表示画像のサイズを変更することを特徴とする請求項１または２に記載の表示装置。
【請求項４】
前記検知手段の出力に基づき、表示画像の表示位置を変更することを特徴とする請求項１から３のいずれかに記載の表示装置。
【請求項５】
表示画像のアスペクト比を変更しないことを特徴とする請求項１から４のいずれかに記載の表示装置。
【請求項６】
前記検知手段の出力に基づき、表示テキストの改行位置を変更することを特徴とする請求項１または２に記載の表示装置。
【請求項７】
前記検知手段の出力に基づき、表示テキストの行間を変更することを特徴とする請求項１または２に記載の表示装置。
【請求項８】
前記表示装置の姿勢を検知する姿勢検知手段と、該姿勢検知手段の出力に基づき前記表示デバイスの表示内容を制御する制御手段とを備える請求項１から請求項７のいずれかに記載の表示装置。
【発明の詳細な説明】
【技術分野】
【０００１】
本発明は、電子機器の表示装置に関する。
【背景技術】
【０００２】
近年、携帯電話やＰＤＡなどのモバイル情報機器（図２３）が広く普及している。情報機器には普通、ＬＣＤ２３０１を代表とする表示装置が組み込まれ、マン・マシンインターフェイスの要として利用されている。特にモバイル機器の表示装置はここ数年のうちにカラー化・高精細化が進み、写真や動画像を鑑賞するといったグラフィカルな用途での利用が一般に定着している。
【０００３】
大抵の場合、表示できる情報量や視認性の面から、より大きい表示装置が使用者に好まれている。しかしながら、従来のガラス板を利用したＬＣＤのようにリジットな構造を持つ表示装置は大きければ大きいほど携帯性を損ない、モバイル機器に組み込む際には、その表示画面の大きさと機器の携帯性とがトレードオフされる関係にあった。
【０００４】
そのような背景のもと、薄いプラスチック素材などで構成され、フレキシブルに曲げたり丸めたりできる極めて薄型の表示デバイスが注目されている。たとえばＥＬや、または電子ペーパーなどと呼ばれる、電荷を持った極微小な粉体の分布を制御して画像や文字を表示するデバイスなどがある。これらは極薄化が可能で柔軟性があるという特徴によって、先述のように丸めたり曲げて折り畳んだりしてコンパクトに収納ができ、モバイル用途への利用が期待されている。
【０００５】
又、別の従来例としては、例えば特許文献１をあげることが出来る。
【特許文献１】特開２００３−７５８０６号公報
【発明の開示】
【発明が解決しようとする課題】
【０００６】
本発明は、上に述べたようなフレキシブルな表示デバイスの特徴を生かし、ＴＰＯに合わせた柔軟な使い方ができる表示装置を提供するものである。
【課題を解決するための手段】
【０００７】
本発明の表示装置は、折り曲げ可能な柔軟性を持つ表示デバイスを用い、該表示デバイスの折り曲げ位置を検知する検知手段の出力に基づき表示内容を制御する。
【０００８】
また、補強部材を取り付けて、該表示デバイスの柔軟性に強弱を付加した。
【０００９】
特に、前記検知手段の出力に基づいて表示画像のサイズを変更する。あるいは、前記検知手段の出力に基づいて画像の表示位置を変更する。いずれも、表示画像のアスペクト比は変更しない。
【００１０】
または、前記検知手段の出力に基づいて表示テキストの改行位置を変更する。あるいは、前記検知手段の出力に基づいて表示テキストの行間を変更する。
【００１１】
加えて、前記表示装置の姿勢を検知する姿勢検知手段を備え、その出力にも基づいて前記表示デバイスの表示内容を制御する。
【発明の効果】
【００１２】
本発明の表示装置によれば、表示装置を折り畳んで使用しても、その都度、適切に画像ないしテキストを表示するので、状況に応じた使い勝手が得られ利便性が向上する。
【００１３】
また、枠などの補強部材によって表示装置の折り曲げ位置を規定することで、折り曲げ位置の検知や表示内容の制御のシステムが容易に構成できる。
【発明を実施するための最良の形態】
【００１４】
（実施例１）
図１から図８を用いて、本発明の第一の実施形態を説明する。なお、同一のものに対しては同一の符号を用いる。
【００１５】
図１は、本発明の表示装置１０１の外観を表している。本表示装置１０１は、フレキシブルな表示デバイス１０２を枠体に収めて成っている。枠体は、表示デバイス１０２の表示領域を囲うように４辺を成し、各辺の中央部にて分断されている。すなわち、枠体は枠体Ａ１０３、枠体Ｂ１０４、枠体Ｃ１０５、枠体Ｄ１０６の４部材で構成されている。枠体はたとえばプラスチックで形成する。これによって本表示装置１０１の４辺は、表示デバイス１０２そのもののフレキシブル性を残す部分（以下、フレキシブル領域、１０７〜１１０）と、枠体によって補強され表示デバイスのフレキシブル性を制限した比較的リジットな部分（以下、リジット領域）と、を有する。また、各フレキシブル領域Ａ〜Ｄ（１０７〜１１０）にはそれぞれ歪ゲージＡ〜Ｄ（１１１〜１１４）を取り付けている。
【００１６】
図２は本表示装置１０２のブロック図である。本表示装置１０１には図１には図示しない処理部２０１・メモリ・電池２０２を枠体Ａ１０３に収めている。処理部２０１は電池２０２を電源として作動し、メモリＡ２０３に格納されている画像やテキストなどのデータを読み出し、メモリＢ２０４をバッファメモリとして表示デバイス１０２に表示させる。また、歪ゲージＡ〜Ｄの各出力は処理部２０１へ入力し、処理部２０１は各歪ゲージからの入力に応じて後述する処理を行う。
【００１７】
ここで歪ゲージの働きについて図３および図４を用いて説明する。各歪ゲージは図３のように表示デバイス１０２の表面に密着して貼り付けられており、図４に示すように表示デバイス１０２の屈曲につれて同様に屈曲され、曲げストレスを受ける。本歪ゲージは受けたストレスに応じて抵抗値が変化し、処理部２０１はその抵抗値を読むことによって、フレキシブル領域（１０７〜１１０）の屈曲状態を知ることができる。図１に示したように、歪ゲージは各辺のフレキシブル領域に各々取り付けられ、また図２に示したように各歪ゲージの出力は各々独立して処理部２０１へ入力するため、処理部２０１は各歪ゲージの抵抗値を読むことで各フレキシブル領域（１０７〜１１０）の屈曲状態をそれぞれ知ることができる。
【００１８】
それでは、本表示装置の表示動作について図５から図８を参照して説明する。図５は、各歪ゲージの出力に応じた表示切替の流れを示すフローチャートである。図６から図８は本表示装置１０１の折り畳み状態を表す外観図である。
【００１９】
ここでは、メモリＡ２０３に格納された写真画像を表示させる場面で説明する。
【００２０】
まず、処理部２０１は歪ゲージＡ１１１および歪ゲージＢ１１２の抵抗値を比較する（ＳＴＥＰ５０１）。歪ゲージＡ１１１と歪ゲージＢ１１２の抵抗値がほぼ同じである時、フレキシブル領域Ａ１０７とフレキシブル領域Ｂ１０８はほぼ同様の屈曲状態にあると推測できる。さらに両者の位置は、図１に示すように、それぞれ表示装置１０１の上下の辺に取り付けられて対向する位置にある。従って、表示装置１０１は図１に破線で示した曲げ位置Ａ１１５に沿って折れ曲がっている、と判断できる。次に処理部２０１は、歪ゲージＡ１１１および歪ゲージＢ１１２の抵抗値をあらかじめ定めた「しきい値」と比較し（ＳＴＥＰ５０２）、しきい値より大きい場合は、表示装置１０１が曲げ位置Ａに沿って完全に折り畳まれた状態であると判断する。
【００２１】
次に、処理部２０１は歪ゲージＣ１１３および歪ゲージＤ１１４の抵抗値を比較する（ＳＴＥＰ５０３）。歪ゲージＣ１１３と歪ゲージＤ１１４の抵抗値がほぼ同じである時、フレキシブル領域Ｃ１０９とフレキシブル領域Ｄ１１０とはほぼ同様の屈曲状態にあると推測できる。両者の位置は、図１に示すように、それぞれ表示装置１０１の左右の辺に取り付けられて対向する位置にある。従って、表示装置１０１は図１に破線で示した曲げ位置Ｂ１１６に沿って折れ曲がっている、と判断できる。次に処理部２０１は、歪ゲージＣ１１３および歪ゲージＤ１１４の抵抗値をあらかじめ定めた「しきい値」と比較し（ＳＴＥＰ５０４）、しきい値より大きい場合は、表示装置１０１が曲げ位置Ｂ１１６に沿って完全に折り畳まれた状態であると判断できる。
【００２２】
以上のステップにより、表示装置１０１は曲げ位置Ａ１１５に沿って折れ曲がり、かつ、曲げ位置Ｂ１１６に沿っても折れ曲がっているため、従って図６に示すように４分の１に折り畳まれていると判断される。このとき、処理部２０１はメモリＡ２０３から読み出した画像データを略４分の１のサイズに縮小し、メモリＢ２０４に送って表示デバイス１０２の表示領域Ａ１１７に表示する（ＳＴＥＰ５０５）。なお、表示領域Ａ〜Ｄは、曲げ位置Ａ１１５および曲げ位置Ｂ１１６によって区画される表示領域の各々を便宜上名付けるものである。表示領域Ａ１１７は全表示領域において左上隅を含み、ここでは左上隅は全表示領域の原点であると規定している。また、左上隅を示すマーク１２１を枠体Ａ１０３上に、たとえば印刷などで表示している。
【００２３】
さて、ＳＴＥＰ５０３において歪ゲージＣ１１３の抵抗値と歪ゲージＤ１１４の抵抗値が大きく異なる場合は、フレキシブル領域Ｃ１０９とフレキシブル領域Ｄ１１０の屈曲状態が異なるので、表示装置１０１は曲げ位置Ｂ１１６に沿っては折り畳まれておらず、たわんでいたり、ねじれていたりする状態であると推測できる。またＳＴＥＰ５０４において歪ゲージＣ１１３の抵抗値および歪ゲージＤ１１４の抵抗値が「しきい値」より小さい場合も同様に、表示装置１０１が曲げ位置Ｂ１１６に沿ってきちんと折り畳まれた状態ではなく、たわんでいるような状態であると推測できる。これらの場合、表示装置１０１は曲げ位置Ａ１１５に沿ってのみ折り畳まれている状態、すなわち図７に示すような状態であることが分かるので、処理部２０１は表示領域Ａ１１７および表示領域Ｃ１１９を使って画像を表示する（ＳＴＥＰ５０６）。今回は写真画像を表示することを目的にしているので、表示領域サイズが異なっても画像のアスペクト比は守るようにするのが望ましい。ＳＴＥＰ５０６における表示使用領域はＳＴＥＰ５０５のそれに対して縦に略２倍大きいが、横幅は変わらないので、ＳＴＥＰ５０６においても画像データを略４分の１のサイズに縮小し表示領域Ａ１１７から表示領域Ｃ１１９にかけて表示する。
【００２４】
ここでもう一度ＳＴＥＰ５０１に戻って別の処理について説明する。ＳＴＥＰ５０１において歪ゲージＡ１１１と歪ゲージＢ１１２の抵抗値が大きく異なる場合は、フレキシブル領域Ａ１０７とフレキシブル領域Ｂ１０８の屈曲状態が異なるので、表示装置１０１は曲げ位置Ａ１１５に沿っては折り畳まれておらず、たわんでいたり、ねじれていたりする状態であると推測できる。またＳＴＥＰ５０２において歪ゲージＡ１１１の抵抗値および歪ゲージＢ１１２の抵抗値が「しきい値」より小さい場合も同様に表示装置１０１が曲げ位置Ａ１１５に沿ってきちんと折り畳まれた状態ではなく、たわんでいるような状態であると推測できる。これらの場合、処理部２０１は歪ゲージＣ１１３および歪ゲージＤ１１４の抵抗値を比較し（ＳＴＥＰ５０７）、歪ゲージＣ１１３と歪ゲージＤ１１４の抵抗値がほぼ同じである時、歪ゲージＣ１１３および歪ゲージＤ１１４の抵抗値をあらかじめ定めた「しきい値」と比較する（ＳＴＥＰ５０８）。抵抗値が「しきい値」より大きい場合は、表示装置１０１が曲げ位置Ｂ１１６に沿って完全に折り畳まれた状態であると判断できる。以上のことから、表示装置１０１は曲げ位置Ｂ１１６に沿ってのみ折り畳まれている状態、すなわち図８に示すような状態であることが分かるので、処理部２０１は表示領域Ａ１１７および表示領域Ｂ１１８を使って画像を表示する（ＳＴＥＰ５０９）。ＳＴＥＰ５０９における表示使用領域はＳＴＥＰ５０５のそれに対して横に略２倍大きいが、縦幅は変わらないので、写真画像を表示する際には画像データを略４分の１のサイズに縮小し表示領域Ａ１１７から表示領域Ｂ１１８にかけて表示する。
【００２５】
また、ＳＴＥＰ５０７において歪ゲージＣ１１３と歪ゲージＤ１１４の抵抗値が大きく異なる場合、またＳＴＥＰ５０８において歪ゲージＣ１１３の抵抗値および歪ゲージＤ１１４の抵抗値が「しきい値」より小さい場合は、表示装置１０１が曲げ位置Ｂ１１６に沿ってきちんと折り畳まれた状態ではない。従って、表示装置１０１は曲げ位置Ａ１１５においても曲げ位置Ｂ１１６においても折り畳まれていないので、図１のようにすべて展開された状態かそれに近い状態であり、全表示領域を使用して画像を表示すれば良い（ＳＴＥＰ５１０）。
【００２６】
なお、本実施例においては図３に示すように歪ゲージを表示デバイスの片面にしか取り付けていないが、たとえば歪ゲージを両面に取り付けるなどによりフレキシブル領域の屈曲方向を検知すれば、より細やかな制御が可能になることは容易に導かれるところである。また、枠体の分割数は４つには限らず、より細分化しても構わない。屈曲検知手段が歪ゲージに限らないことは、もちろんである。
【００２７】
（実施例２）
次に、本発明の第二の実施形態を説明する。本実施例中において同一のものに対しては同一の符号を用いる。
【００２８】
図９は本実施形態の表示装置９０１の外観を表している。本表示装置９０１は、フレキシブルな表示デバイス９０２を枠体に収めて成っている。枠体は、表示デバイス９０２の表示領域を囲うように４辺を成し、上下の辺を成す枠体はそれぞれ３分割されている。すなわち、枠体は枠体Ａ９０３、枠体Ｂ９０４、枠体Ｃ９０５、枠体Ｄ９０６の４部材で構成されている。枠体はたとえばプラスチックで形成する。これによって本表示装置９０１の４辺は、表示デバイス９０２そのもののフレキシブル性を残す部分（以下、フレキシブル領域Ａ９０７およびフレキシブル領域Ｂ９０８）と、枠体によって補強され表示デバイスのフレキシブル性を制限した比較的リジットな部分（以下、リジット領域Ａ９０９、リジット領域Ｂ９１０、リジット領域Ｃ９１１）と、を有する。
【００２９】
本表示装置９０１の上辺を形成する枠体Ａ９０３、枠体Ｂ９０４、枠体Ｃ９０５には、それぞれホール素子（９１６、９１８、９２０）と磁石（９１５、９１７、９１９）が取り付けられている。ホール素子と磁石は、表示装置９０１の上辺を成す短辺おのおのの両端に配置し、図９に示すように交互に並べる。
【００３０】
図１０は本表示装置９０１のブロック図である。本表示装置９０１は図９には図示しない処理部１００１・メモリ・電池１００２を枠体Ａに収めている。処理部１００１は電池１００２を電源として作動し、メモリＡ１００３に格納されている画像やテキストなどのデータを読み出し、メモリＢ１００４をバッファメモリとして表示デバイス９０２に表示させる。また、ホール素子Ａ９１６、ホール素子Ｂ９１８、ホール素子Ｃ９２０の各出力は処理部１００１へ入力し、処理部１００１は各ホール素子からの入力に応じて後述する処理を行う。
【００３１】
それでは、本表示装置９０１の表示切り替え動作について図１１から図１７を参照して説明する。図１１は、各ホール素子の出力に応じた表示切り替えの流れを示すフローチャートである。図１２から図１７は本表示装置９０１の折り畳み状態を表す外観図である。
【００３２】
ここでは、メモリＡ１００３に格納された横書きのテキストデータを表示させる場面で説明する。
【００３３】
まず、処理部１００１は各ホール素子からの入力を受け、各ホール素子のＯＮ／ＯＦＦ情報を取得する。たとえば図１２に示すようにリジット領域Ｃ９１１が表示装置９０１後方に折り畳まれている場合、上面図に示すように枠体Ｃ９０５に取り付けられたホール素子Ｃ９２０が枠体Ｂ９０４に取り付けられた磁石Ｂ９１７に近接対向する。同様に枠体Ｃ９０５に取り付けられた磁石９１９が枠体Ｂ９０４に取り付けられたホール素子Ｂ９１８に近接対向する。これにより、ホール素子Ｂ９１８およびホール素子Ｃ９２０がＯＮとなり、ホール素子Ａ９１６はＯＦＦのままである。図１１で説明すると、ホール素子Ｂ９１８がＯＮ（ＳＴＥＰ１１０１）であり、ホール素子Ａ９１６がＯＦＦ（ＳＴＥＰ１１０２）、さらにホール素子Ｃ９２０がＯＮ（ＳＴＥＰ１１０３）であるので、リジット領域Ｂ９１０とリジット領域Ｃ９１１とが向かい合っていることがわかる（ＳＴＥＰ１１０４）。
【００３４】
このように各ホール素子のＯＮ／ＯＦＦ情報によって処理部１００１は表示装置９０１がフレキシブル領域Ｂ９０８にて折り畳まれている状態を検知することができる。
【００３５】
処理部１００１はメモリＡ１００３からテキストデータを読み出し、表示領域Ａ９１２と表示領域Ｂ９１３により成る表示エリアの幅に合わせ、フォントや文字高さの情報を参照して一行の文字数を決定しテキストデータを整形する（ＳＴＥＰ１１０５）。整形されたテキストデータはメモリＢ１００４を介して表示デバイス９０２に文章として表示させる（ＳＴＥＰ１１０６）。
【００３６】
または図１１において、ホール素子Ｂ９１８がＯＮ（ＳＴＥＰ１１０１）であり、ホール素子Ａ９１６がＯＮ（ＳＴＥＰ１１０２）、さらにホール素子Ｃ９２０がＯＦＦ（ＳＴＥＰ１１０７）であるとき、リジット領域Ａ９０９とリジット領域Ｂ９１０とが向かい合っていることがわかる（ＳＴＥＰ１１０８）。すなわち、表示装置９０１は図１３のようにフレキシブル領域Ａ９０７にて折り畳まれているので、処理部１００１は表示領域Ｂ９１３と表示領域Ｃ９１４により成る表示エリアの幅に合わせ、テキストデータを整形し（ＳＴＥＰ１１０５）、表示させる（ＳＴＥＰ１１０６）。
【００３７】
または図１１において、ホール素子Ｂ９１８がＯＮ（ＳＴＥＰ１１０１）であり、ホール素子Ａ９１６がＯＮ（ＳＴＥＰ１１０２）、さらにホール素子Ｃ９２０もＯＮ（ＳＴＥＰ１１０７）であるとき、リジット領域Ａ９０９とリジット領域Ｂ９１０とが、さらにリジット領域Ｂ９１０とリジット領域Ｃ９１１とが向かい合っていることがわかる。つまり、表示装置９０１は図１４に示すようにリジット領域をすべて重ね合わせるように折り畳まれている。処理部１００１はテキストデータを表示領域Ａ９１２の幅に合わせて整形し（ＳＴＥＰ１１０５）、表示させる（ＳＴＥＰ１１０６）。
【００３８】
特に各リジット領域に各々ホール素子と磁石を取り付け、隣接するリジット領域との間で相互に検知するように構成したことで、外部の磁性体による誤検知が発生しにくい。
【００３９】
図１５は本表示装置９０１に縦書きテキストを表示した例である。このとき、たとえば図１６のようにリジット領域をすべて重ね合わせるように折り畳むと、図１４での説明と同様に全てのホール素子がＯＮとなって、フレキシブル領域Ａ９０７およびＢ９０８の両方で折り畳まれている状態を検知できる。このとき処理部１００１は、図１７に表すように、フレキシブル領域に掛かる行の行間を広げてテキストデータを整形する。（図１７は、図１６の状態にある表示装置９０１のテキスト表示状態を、便宜上、展開して表したものである。）図１７の状態ではフレキシブル領域は曲がっていてテキストを読みづらいので、フレキシブル領域を使用しないでテキストを表示するのである。
【００４０】
（実施例３）
次に、本発明の第三の実施形態を説明する。
【００４１】
図１８は本実施形態の表示装置１８０１の外観図、図１９は同じくブロック図である。
【００４２】
本実施形態の表示装置１８０１は第二の実施形態の表示装置９０１に傾斜センサＡ１８０１およびＢ１８０２を追加している。その他の構成については実施例２の表示装置９０１と同じであるので、ここでは説明を省略する。
【００４３】
本表示装置１８０１は、実施例２での説明のように折り畳まれた位置を検知して表示を切り替えるが、加えて傾斜センサによって表示装置１８０１自身の姿勢を検知するものである。傾斜センサには、よく知られているものとしては、円筒状のケースの中に移動自在に球体を封入し、重力による球体の移動を接片などで信号として取り出すものがある。ここでは、この傾斜センサを「ハの字」状に２個組み合わせ、それらを表示画面に対して４５°傾けて取り付けた。図２０はその傾斜センサの作動の状態を表した図である。図１８の状態を表示装置１８０１の正位置とした場合、表示装置１８０１を右へ９０°ずつ順に回転していくと、傾斜センサ内の球体２００１は重力方向に従って図のように移動する。従って、２個の傾斜センサの信号を組み合わせることによって、表示装置１８０１の重力方向に対する姿勢が検知できる。
【００４４】
さて、図２１および図２２は本表示装置１８０１の画像表示例を表している。共に図１２で示したものと同じように、リジット領域Ｃ９１１が後方に折り畳まれた状態である。図２１では、リジット領域Ｃ９１１が後方に折り畳まれたことを検知して、表示領域Ａ９１２と表示領域Ｂ９１３により成る表示エリアの幅Ｘに合わせて、アスペクト比を守って縮小表示している。次に図２２では、表示装置１８０１が図２１の状態に対して右に９０°回転していることを検知し、それに応じて画像を回転させて上下を重力方向に一致させるとともに、画像の幅を表示領域の水平方向となったＹ寸法に合わせて、アスペクト比を守ったまま表示している。
【００４５】
このように、本表示装置１８０１は、折り畳むことによる表示領域の変化に適切に対応するとともに、表示装置１８０１自身の姿勢変化による表示領域の変化にも適切に対応するものである。
【図面の簡単な説明】
【００４６】
【図１】第一の実施形態である表示装置の外観図である。
【図２】第一の実施形態である表示装置のブロック図である。
【図３】第一の実施例において折り曲げ検知手段であるところの歪ゲージの取り付け状態を説明する図である。
【図４】第一の実施例において折り曲げ検知手段であるところの歪ゲージの、折れ曲がり状態を説明する図である。
【図５】第一の実施形態である表示装置の、表示切り替えの流れを表すフローチャートである。
【図６】第一の実施形態である表示装置の、折り畳まれた状態での外観図である。
【図７】第一の実施形態である表示装置の、折り畳まれた状態での外観図である。
【図８】第一の実施形態である表示装置の、折り畳まれた状態での外観図である。
【図９】第二の実施形態である表示装置の外観図である。
【図１０】第二の実施形態である表示装置のブロック図である。
【図１１】第二の実施形態である表示装置の、表示切り替えの流れを表すフローチャートである。
【図１２】第二の実施形態である表示装置の、折り畳まれた状態での外観図である。
【図１３】第二の実施形態である表示装置の、折り畳まれた状態での外観図である。
【図１４】第二の実施形態である表示装置の、折り畳まれた状態での外観図である。
【図１５】第二の実施形態である表示装置の、折り畳まれた状態での外観図である。
【図１６】第二の実施形態である表示装置の、折り畳まれた状態での外観図である。
【図１７】第二の実施形態である表示装置の、折り畳まれた状態での外観図である。
【図１８】第三の実施形態である表示装置の外観図である。
【図１９】第三の実施形態である表示装置のブロック図である。
【図２０】傾斜センサの作動の状態を模式的に表した図である。
【図２１】第三の実施形態である表示装置の画像表示例を表す外観図である。
【図２２】第三の実施形態である表示装置の画像表示例を表す外観図である。
【図２３】従来のモバイル情報機器の例を示した外観図である。
【符号の説明】
【００４７】
１０１，９０１，１８０１  表示装置
１０２，９０２  表示デバイス
１０３，１０４，１０５，１０６，９０３，９０４，９０５，９０６  枠体
２０１，１００１  処理部
２０２，１００２  電池
２０３，２０４，１００３，１００４  メモリ
１１１，１１２，１１３，１１４  歪ゲージ
１０７，１０８，１０９，１１０，９０７，９０８  フレキシブル領域
１１５，１１６  曲げ位置
１１７，１１８，１１９，１２０，９１２，９１３，９１４  表示領域
１２１  マーク
９０９，９１０，９１１  リジット領域
９１６，９１８，９２０  ホール素子
９１５，９１７，９１９  磁石
１８０１，１８０２  傾斜センサ
２００１  球体
【図１】
2006243621.tif 000003
【図２】
2006243621.tif 000004
【図３】
2006243621.tif 000005
【図４】
2006243621.tif 000006
【図５】
2006243621.tif 000007
【図６】
2006243621.tif 000008
【図７】
2006243621.tif 000009
【図８】
2006243621.tif 000010
【図９】
2006243621.tif 000011
【図１０】
2006243621.tif 000012
【図１１】
2006243621.tif 000013
【図１２】
2006243621.tif 000014
【図１３】
2006243621.tif 000015
【図１４】
2006243621.tif 000016
【図１５】
2006243621.tif 000017
【図１６】
2006243621.tif 000018
【図１７】
2006243621.tif 000019
【図１８】
2006243621.tif 000020
【図１９】
2006243621.tif 000021
【図２０】
2006243621.tif 000022
【図２１】
2006243621.tif 000023
【図２２】
2006243621.tif 000024
【図２３】
2006243621.tif 000025